(57)【要約】【課題】原稿搬送路の長さを短くし、装置の小型化を図ることができる混載可能な原稿搬送装置を提供する。【解決手段】堆積載置された原稿Ｄを繰出す繰出手段３を備えた原稿供給トレイ２と、繰出された原稿Ｄを搬送路５に沿って搬送しながらその画像を読取る読取手段２９を備えた原稿搬送装置１であって、原稿の混載モードを設定する混載モード設定手段３３ａと、上記原稿供給トレイ２に載置される原稿Ｄ毎のサイズ情報を入力可能な原稿サイズ入力手段３３ｂと、入力されたサイズ情報を記憶するサイズ記憶手段３０ａとを備えたことを特徴とする。【選択図】      図２
2005123918.tif 000002
【特許請求の範囲】
【請求項１】
堆積載置された原稿を繰出す繰出手段を備えた原稿供給トレイと、繰出された原稿を搬送路に沿って搬送しながらその画像を読取る読取手段とを備えた原稿搬送装置であって、  原稿の混載モードを設定する混載モード設定手段と、上記原稿供給トレイに載置される原稿毎のサイズ情報を入力可能な原稿サイズ入力手段と、入力されたサイズ情報を記憶するサイズ記憶手段とを備えたことを特徴とする原稿搬送装置。
【請求項２】
上記搬送路を搬送される原稿の長さを検出する原稿長検出センサと、この検出センサよる検出長さ情報と、上記サイズ記憶手段に記憶された原稿毎のサイズ情報に基づく原稿長さ情報とが一致しない場合に、エラー情報を出力するエラー出力手段と、を更に備えたことを特徴とする請求項１に記載の原稿搬送装置。
【請求項３】
上記混載モード設定手段によって混載モードが選択された時には、前回以前の混載モード選択時におけるサイズ記憶手段に記憶された原稿サイズ情報を表示する表示手段を更に備えたことを特徴とする請求項１又は２に記載の原稿搬送装置。
【発明の詳細な説明】
【技術分野】
【０００１】
本発明は、原稿を搬送させながら、搬送路の途中に配設された読取部において原稿画像を読取る所謂シートスルータイプの読取装置における原稿搬送装置に関し、更に詳しくは、原稿供給トレイに異なるサイズの原稿が混載された場合でも的確な読取を実施することができる原稿搬送装置に関する。
【背景技術】
【０００２】
上記シートスルータイプの原稿搬送装置は、読取部のプラテンガラスの下方に読取スキャナを静止させておき、自動原稿送り装置（ＡＤＦ）により原稿をプラテンガラス上に連続給送させながら、その画像を読取るものである。このような原稿搬送装置においては、拡大・縮小モードの場合に、画像品質の維持の為、読取時の原稿搬送速度の変更がなされることが多い。その為、原稿供給トレイから給送される原稿のサイズが読取り前に認識される必要がある。また、両面読取を１回の通紙で行う場合にも必要である。そこで、原稿供給トレイ上に、その搬送方向に沿って複数のセンサを設置し、その検出信号により原稿のサイズ判定を行うようにしている。しかし、このような原稿供給トレイ上に複数のセンサを設ける例では、原稿供給トレイ上にサイズの異なる原稿が混載された場合、最大サイズの原稿を検出することになるから、原稿毎の正確なサイズ情報は得られないと言う問題がある。
【０００３】
上記問題点を解消する為に、特許文献１に開示された原稿搬送装置では、原稿供給トレイから原稿を繰出・分離して後、リードセンサまでの間の原稿搬送路に複数のセンサを配置して、搬送されて来る原稿毎の先端及び後端検出情報に基づき、各原稿についてのサイズ判定を行っている。また、特許文献２では、原稿搬送路の途中に退避路を設け、原稿が混載されている場合は、この退避路に原稿を一旦退避させて原稿の長さを検出するようにしている。
【特許文献１】特開平８−１３３５５１号公報
【特許文献２】特開平１１−２９３１号公報
【発明の開示】
【発明が解決しようとする課題】
【０００４】
しかし、上記特許文献１の原稿搬送装置では、リードセンサまでの原稿搬送路の長さを、最大原稿サイズの長さの１／２（例えば、最大原稿サイズがＡ３の場合、２１０ｍｍ）以上確保する必要がある為に、装置の小型化に限界があった。また、特許文献２の原稿搬送装置では、途中に退避路を設ける為に、原稿搬送路のレイアウト構成が複雑となる上に、フラッパ等の付帯部材及びその作動機構を配置する必要があり、嵩高且つコスト高になることは予想されるところであった。
【０００５】
本発明は、上記のような実情に鑑みなされたものであり、原稿搬送路の長さを短くし、装置の小型化を図ることができる混載可能な原稿搬送装置を提供するものである。
【課題を解決するための手段】
【０００６】
本発明は、堆積載置された原稿を繰出す繰出手段を備えた原稿供給トレイと、繰出された原稿を搬送路に沿って搬送しながらその画像を読取る読取手段とを備えた原稿搬送装置であって、原稿の混載モードを設定する混載モード設定手段と、上記原稿供給トレイに載置される原稿毎のサイズ情報を入力可能な原稿サイズ入力手段と、入力されたサイズ情報を記憶するサイズ記憶手段とを備えたことを特徴とする。
【０００７】
請求項２の発明は、上記搬送路を搬送される原稿の長さを検出する原稿長検出センサと、この検出センサよる検出長さ情報と、上記サイズ記憶手段に記憶された原稿毎のサイズ情報に基づく原稿長さ情報とが一致しない場合に、エラー情報を出力するエラー出力手段と、を更に備えたことを特徴とする。
【０００８】
請求項３の発明は、上記混載モード設定手段によって混載モードが選択された時には、前回以前の混載モード選択時におけるサイズ記憶手段に記憶された原稿サイズ情報を表示する表示手段を更に備えたことを特徴とする。
【発明の効果】
【０００９】
本発明によれば、読取操作前に、操作者によって原稿供給トレイに混載される原稿毎のサイズ情報が事前に入力され、これがサイズ記憶手段に記憶されるから、原稿搬送路での原稿搬送及び読取等の制御は、この記憶されたサイズ情報に基づき行うことができる。従って、搬送路の長さを可能な限り短くすることができ、また搬送路及びその付帯機構等の構造も簡単なものとすることができ、装置の小型化を図ることができる。更に、原稿を検出するセンサの数は、必要最小限とすることができ、装置の小型化等とも相俟って低コスト化が図られる。
【００１０】
特に、原稿を混載するパターンは、使用頻度の多いユーザによっては固定化されるケースが多く、本発明では、一旦入力されたサイズ情報を記憶手段に記憶されるようにしているので、このようなユーザにおいては、この記憶されたサイズ情報を次回以降の混載データとして活用することができ、操作者の操作手間を省くようになすことが可能となり、極めて便利である。
【発明を実施するための最良の形態】
【００１１】
以下に本発明の実施の形態について図面を参照して説明する。図１はファクシミリ装置や複写機、或いはファクシミリと複写の両機能を備えた所謂複合機における原稿搬送装置１の要部の縦断面図を示すものである。
【実施例】
【００１２】
図例の原稿搬送装置１は、シートものの原稿Ｄを１枚ずつ搬送しながら、その両面の画像を読み取って、それぞれデジタル信号として出力するための自動原稿送り装置（ＡＤＦ）として構成されている。原稿搬送装置１の原稿供給口部２ａには、原稿供給トレイ２が該原稿供給口部２ａに向かって下方に傾斜するよう着脱自在に装着されている。原稿供給口部２ａ上には、原稿供給トレイ２に堆積された原稿Ｄを上層部より繰出すピックアップローラ３が配設され、このピックアップローラ３に引き続き、繰出された原稿を１枚ずつ分離して給送する原稿分離手段４が装備されている。該原稿分離手段４は、分離ローラ４ａとこの分離ローラ４ａの周体に弾接するよう付勢された分離パッド４ｂからなる。ピックアップローラ３で繰出された原稿は、分離ローラ４ａと分離パッド４ｂとの間に導入され、分離ローラ４ａの回転に伴う両者の紙に対する摩擦係数の差により１枚ずつ分離され、下流側に給送される。４ｃは、分離パッド４ｂを分離ローラ４ａの周体に弾接させる為の圧縮スプリングである。尚、原稿分離手段４として、分離ローラ４ａと分離パッド４ｂからなるものに代え、分離ローラとリタードローラとの組合わせによるもの等も採用可能であることは言うまでもない。
【００１３】
上記原稿分離手段４により１枚ずつ分離された原稿は、Ｕターン状に形成された原稿搬送路５に沿って順次配設されたレジストローラ６、第１搬送ローラ７及び第２搬送ローラ８によりレジスト搬送されて第１の読取ポイント（読取部）Ｐ１に至り、更に第３搬送ローラ９により第２の読取ポイントＰ２に給送され、排出ローラ１０により排出トレイ１１に排出される。第１の読取ポイントＰ１にはプラテン１２が配置され、原稿が該プラテン１２上を通過する際、このプラテン１２の下部に待機された読取走査装置１３により原稿表面の画情報が逐次読み取られ、上記のようにデジタル信号として出力される。
【００１４】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１５】
図例の読取走査装置１３は、フラットベッドスキャナ（ＦＢＳ）にも兼用するよう構成されている。即ち、図示を一部省略したが、図１における破断部分の右側にはＦＢＳ部１４が連成されている。上記キャリッジ１３ｅは、図例ではＡＤＦ原稿の読取位置に静止された状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。原稿搬送装置１、原稿供給トレイ２及び排出トレイ１１は一体化されてプラテンカバーを構成し、紙面奥側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００１６】
上記のように、第１の読取ポイントＰ１で表面画像が読み取られた原稿は、更に、第３搬送ローラ９により搬送されて第２の読取ポイントＰ２に至るが、この第２の読取ポイントＰ２は、搬送原稿の裏面側に配置された密着型イメージセンサ１６と、これに接触的に配置されたプラテンローラ１７との接触点とされる。即ち、密着型イメージセンサ１６とプラテンローラ１７との間に導入される原稿は、プラテンローラ１７の回転により密着型イメージセンサ１６の読取面を摺接しながら給送され、この間に原稿の裏面画像が密着型イメージセンサ１６により読取られ、電気信号に変換されてデジタル信号として出力される。
【００１７】
上記分離ローラ４ａ、レジストローラ６、第１〜第３搬送ローラ７〜９、プラテンローラ１７及び排出ローラ１０は、１個のモーター（不図示）を駆動源とし、適宜ギヤ或いはベルト等の伝達手段（同）を介し駆動伝達がなされ、また適宜電磁クラッチ（同）により個々にオン・オフ制御がなされるよう構成されている。
【００１８】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転はワンウェイクラッチ（不図示）を介してピックアップローラ３に伝達されるようになされている。
【００１９】
斯く構成されたピックアップローラ３は、待機状態ではフレーム３ａをして上方に位置し、上記駆動軸４ｄが正回転（Ａ方向）すると、上記トルクリミッタの作用によりフレーム３ａが駆動軸４ｄを支点として下方に揺動する。この揺動はピックアップローラ３が原稿供給トレイ２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ａ方向）すると、フレーム３ａがトルクリミッタの作用により上方に揺動し、その後の駆動軸４ｄの停止により、待機状態に静止保持される。
【００２０】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿は分離ローラ４ａと分離パッド４ｂとの間に導入され、前記のように１枚ずつ分離されて下流側に給送される。分離ローラ４ａから給送された原稿Ｄは、レジストローラ６によりレジストされて更に下流側に搬送されるが、このレジストローラ６以降の各ローラ７、８、９、１７、１０の周速は、分離ローラ４ａ及びピックアップローラ３の周速より大とされ、分離ローラ４ａとレジストローラ６との間で原稿のページ間隔を確保するようになされている。従って、分離ローラ４ａから給送された原稿Ｄの先端がレジストローラ６に差し掛かるとその周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００２１】
レジストローラ６、第１〜第３搬送ローラ７、８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取出しが容易に行える。
【００２２】
また、第２搬送ローラ８、第３搬送ローラ９、これらと対をなすプレッシャーローラ８ａ、９ａ、プラテンローラ１７及び排出ローラ１０は、原稿搬送装置１を含む前記プラテンカバーの機枠をなす機体フレーム１９及びこれに固定された筒状の中間インナーガイドフレーム２０に取付けられている。更に、分離パッド４ｂ、密着型イメージセンサ１６及びプレッシャーローラ１０ａは、レジストローラ６の駆動軸６ｂに対し該駆動軸６ｂを支点として上下に開閉可能に枢着された中間フレーム２１に取付けられている。第３搬送ローラ９以降でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２３】
分離ローラ４ａとレジストローラ６との間にレジストセンサ２２が、また、レジストローラ６と第１搬送ローラ７との間には原稿長検出センサ２３が、更には、第２搬送ローラ８の上流側近傍にはリードセンサ２３が、夫々配設されている。後記する主制御部２５（図２参照）は、分離ローラ４ａから給送された原稿の先端をレジストセンサ２２により検出するとレジストセンサ２２とレジストローラ６との間の距離に基づき予め算出・設定された所定時間（原稿先端がレジストローラ６に到達するまで時間）の経過後にレジストローラ６を作動させるべく（前記電磁クラッチをオン）制御する。また、同主制御部２５は、リ−ドセンサ２４により給送原稿の先端が検出されると、第２搬送ローラ８を作動（同上）して、原稿を読取ポイントＰ１にレジスト搬送すべく制御すると共に読取走査装置１３をこの原稿の給送に同期させて動作制御する。
【００２４】
上記原稿長検出センサ２３は、レジストローラ６によりレジスト搬送される原稿の長さを検出する。即ち、この原稿長検出センサ２３が、搬送される原稿の先端を検出してから同原稿の後端を検出するまでの時間を計測し、この計測時間とレジストローラ６の周速度から原稿長さを算出することができる。このような原稿長さの検出信号に基づく原稿長さの算出は、主制御部２５によってなされる。
【００２５】
次に、上記構成の原稿搬送装置１における制御システムについて説明する。図２は複写機能或いはプリンタ機能も備えたファクシミリ装置を例に採った制御システムのブロック図を示す。主制御部２５はＣＰＵからなり、ファクシミリ装置としての全ての機能の動作制御を司る。ＮＣＵ２６及びモデム２７は、外部ファクシミリ装置と回線接続し、この通信回線を介した送信及び受信に伴う各種伝送信号を変調及び復調するべく機能するものである。画像メモリー２８は、前記読取走査装置１３或いは密着型イメージセンサ１６からなる読取部（読取手段）２９により読取った画像データ、或いは受信した画像データを一時的に記憶するものである。また、ＲＡＭ３０は、混載モード時に操作者により入力された原稿サイズを記憶する原稿サイズ記憶手段３０ａを含むと共に、ワンタッチダイヤル番号等の各種データの記憶部をも含む。ＲＯＭ３１は、ファクシミリ装置の各種動作プログラムを格納するものである。
【００２６】
表示部３２は、液晶パネル等からなり、操作手順やエラー表示等の各種情報を、視覚的に操作者に知らせる為のものである。操作部３３は、不図示のテンキーや各種機能キー（片面・両面読取モード設定キーを含む）の他に、混載モード設定手段（キー）３３ａ或いは原稿サイズ入力手段（カーソルキーや確定キー等）３３ｂ等の、操作者によって操作される各種操作手段からなる。記録部３４は、読取部２９で読取られた画像データや、ＮＣＵ２６を介し受信した画像データ更にはパソコン等の外部端末機から受信した画像データを印字出力するものであり、電子写真方式、インクリボン方式或いはインクジェット方式等、公知の記録手段が採用される。原稿長検出センサ２３は、前記の通り、レジスト搬送される原稿の前端検出信号と後端検出信号を主制御部２５に送出し、主制御部２５は、この両信号間の経過時間を計測し、この経過時間とレジストローラ６の周速度とより、搬送される原稿毎の長さを演算する。
【００２７】
上記制御システムに基づく原稿搬送装置１における原稿の搬送・読取の要領について、図３も参照して説明する。図３は、表示部３２の表示画面の一例を示すものである。図１において、操作者は原稿供給トレイ２の上に原稿束Ｄを上向きページ順にセットする。操作者により混載モード設定キー３３ａが操作されると、表示部３２は、総原稿枚数、原稿サイズ、拡大・縮小モード入力画面に切替わる。操作者は、表示部３２の別部位に表示されるガイダンス（不図示）に従い、カーソルキー、確定キー等の原稿サイズ入力手段３３ｂを操作し、必要事項を入力する。図３は、総原稿枚数が５枚、原稿サイズは、１〜２枚目がＡ４タテ、３〜５枚目がＢ５タテ、拡大・縮小モードは、１〜２枚目が等倍、３〜５枚目がＢ５→Ａ４拡大（拡大率１１５％）と設定された例を示す。また、「タテ」は原稿の長手方向が搬送方向に沿うようセットされた場合を意味し、従ってこれに直交する方向にセットされる場合は「ヨコ」と表示される。
【００２８】
上記原稿サイズ入力手段３３ｂにより入力された原稿サイズ情報は、ＲＡＭ３０内の原稿サイズ記憶手段３０ａに格納・記憶される。この、原稿サイズ記憶手段３０ａには、過去に入力された原稿サイズ情報も記憶されており、従って、上記混載モード設定キー３３ａが操作された時、原稿サイズ記憶手段３０ａに記憶された過去の原稿サイズ情報を表示部３２に表示させ、これから搬送・読取させんとする原稿束の混載パターンと同じものがあれば、それを選択・確定させるようにすることも可能である。また、複数種のサイズ組合せパターンを記憶させておき、操作者にこれらの内から選択させるようにすることも可能である。このようにすれば、１枚毎のサイズ入力の手間が省け、操作者の負担が軽くなる。特に、ユーザによっては、Ａ４の書類送付案内とＢ５の伝票等のように、いくつかの定まった混載パターンでの使用頻度が高いような使用がされている場合には、極めて便利である
【００２９】
上記のように、操作者によって原稿サイズ情報の入力がなされ、更に、片面・両面読取モード等の選択キー、画質設定キーその他の機能キーの設定操作（ファクシミリ送信の場合は、相手先番号の入力や各種送信モード設定等を含む）がなされた後、操作スイッチ（不図示）がオンされると、ピックアップローラ３が下降して原稿供給トレイ２上に載置された原稿束Ｄの上面に押当すると共にピックアップローラ３及び分離ローラ４ａの回転が開始する。これに伴い、最上層の原稿Ｄが繰出され、分離ローラ４ａと分離パッド４ｂの作用により重送が阻止された状態で１枚の原稿Ｄが装置内に給送される。原稿Ｄの先端がレジストセンサ２２により検出されると、所定時間後、レジストローラ６以降の搬送系が作動を開始する。
【００３０】
装置内に給送された原稿Ｄは、引続きレジストローラ６によってレジスト搬送され、その先端が原稿長検出センサ２３をオンとし、更に、第１搬送ローラ７及び第２搬送ローラ８の搬送作用を受けて第１読取ポイントＰ１に導入される。この間、原稿Ｄの先端がリードセンサ２４をオンとすると、読取走査装置１３（両面読取モードの時には密着型イメージセンサ１６も）が起動態勢に入り、第１読取ポイントＰ１に至った原稿Ｄの第１面（表面）の画像が読取走査装置１３によって順次読取られて行く。原稿Ｄは引続き第３搬送ローラ９により搬送され、第２読取ポイントＰ２に導入され、両面読取モードの場合は、密着型イメージセンサ１６により、その第２面（裏面）の画像が読取られる。その後、排出ローラ１０により排出トレイ１１上に第１面が下向きになるよう排出される。次原稿Ｄも同様にして搬送・読取がなされ、排出トレイ１１上に排出堆積される。このように、各原稿Ｄは、その第１面が下向きとなるよう排出トレイ１１上に排出されるから、ページ順に堆積されることになり、爾後のページ揃えが不要とされる。
【００３１】
主制御部２５は、上記原稿長検出センサ２３が、原稿Ｄの先端を検出してから後端を検出するまでの経過時間を計測し、この計測時間とレジストローラ６の周速度の積から搬送中の原稿長さを算出する。そして、主制御部２５は、算出した原稿長さが、予め入力された原稿サイズ情報に基づく原稿長と異なる場合は、表示部３２において、入力された原稿サイズ情報が正確でない旨のエラー表示を行う。このような、原稿長さの検出と、エラー表示は原稿毎になされる。従って、操作者はこの表示に基づき、エラー対象の原稿について、再度の搬送・読取操作を実施することができる。
【００３２】
上記のように、原稿供給トレイ２上にはサイズの異なる原稿Ｄが混載されていても、その搬送・読取制御は、予め入力設定されたサイズ情報と、レジストセンサ２２による検出信号とにより、原稿毎に的確になされる。特に、原稿毎に拡大・縮小率が設定されている場合、レジストローラ６以降の搬送系の周速度を、原稿毎の拡大・縮小率に応じた速度に制御することができ、これにより画像品質の優れた拡大・縮小読取が可能となる。
【００３３】
尚、原稿供給トレイ２上に、全て同一サイズの原稿束が載置される場合は、操作部３３では混載モード設定手段３３ａの操作がなされず、表示部３２には、原稿サイズと拡大・縮小モードの設定を促すガイダンスを表示するようにすれば良い。或いは、複写の場合は記録用紙のカセットを指定することにより、指定されたカセットの記録用紙サイズを原稿サイズとみなすようにすることも可能である。また、図３に示す表示部３２の例において、複写の場合、拡大・縮小モード設定に代え、記録用紙のカセットを選択するようにし、入力された原稿サイズ情報と選択されたカセットの用紙サイズから、拡大・縮小率を自動的に設定するようになすことも可能である。
【図面の簡単な説明】
【００３４】
【図１】原稿搬送装置と走査装置の要部を示す縦断面図である。
【図２】本発明の原稿搬送装置を備えたファクシミリ装置における制御システムの１例を示すブロック図である。
【図３】同表示部での表示態様の１つの例を示す図である。
【符号の説明】
【００３５】
１      原稿搬送装置
２      原稿供給トレイ
３      ピックアップローラ（繰出手段）
５      搬送路
２３    原稿長検出センサ
２５    主制御部
２８    読取部（読取手段）
３０ａ  原稿サイズ記憶手段
３２    表示部
３３ａ  混載モード設定手段
３３ｂ  原稿サイズ入力手段
Ｄ      原稿
【図１】
2005123918.tif 000003
【図２】
2005123918.tif 000004
【図３】
2005123918.tif 000005